(57)【要約】【課題】現金ベンダー装置と接続された画像形成装置を、益々ユーザーフレンドリーとする。【解決手段】画像形成装置は、現金が入出金され、入金された現金の残額を記録する現金ベンダー装置と通信する通信インターフェースと、外部デバイスの記録媒体に、電子マネーを近距離無線通信によって書き込む非接触型リーダライターと、通信インターフェースを介して現金ベンダー装置から、現金ベンダーが記録する残額を示す情報を取得する残額取得部と、機能を実行する機能実行部と、機能を実行するための価額を残額から減算して差額を算出する差額算出部と、非接触型リーダライターを制御して、差額に相当する電子マネーを、外部デバイスの記録媒体に書き込ませる電子マネー返金部と、通信インターフェースを介して現金ベンダー装置に、現金ベンダー装置が記録する残額をゼロに更新するよう要求する残額更新要求部として動作する制御回路とを具備する。【選択図】図５
2019207514.tif 000002
【特許請求の範囲】
【請求項１】
現金が入出金され、入金された前記現金の残額を記録する現金ベンダー装置と通信する通信インターフェースと、
外部デバイスの記録媒体に、電子マネーを近距離無線通信によって書き込む非接触型リーダライターと、
前記通信インターフェースを介して前記現金ベンダー装置から、前記現金ベンダーが記録する前記残額を示す情報を取得する残額取得部と、
機能を実行する機能実行部と、
前記機能を実行するための価額を前記残額から減算して差額を算出する差額算出部と、
前記非接触型リーダライターを制御して、前記差額に相当する電子マネーを、前記外部デバイスの前記記録媒体に書き込ませる電子マネー返金部と、
前記通信インターフェースを介して前記現金ベンダー装置に、前記現金ベンダー装置が記録する前記残額をゼロに更新するよう要求する残額更新要求部
として動作する制御回路と
を具備する画像形成装置。
【請求項２】
請求項１に記載の画像形成装置であって、
前記現金ベンダー装置と、前記非接触型リーダライターとは、互いに独立した異なる筐体に設けられる
画像形成装置。
【請求項３】
請求項１又は２に記載の画像形成装置であって、
前記制御回路は、さらに、
前記差額の返金方法として、現金又は前記電子マネーを選択する返金方法選択部として動作し、
前記電子マネーが選択されたとき、
前記電子マネー返金部は、前記リーダライターを制御して、前記差額に相当する前記電子マネーを、前記外部デバイスの前記記録媒体に書き込ませ、
前記残額更新要求部は、前記通信インターフェースを介して前記現金ベンダー装置に、前記現金ベンダー装置が記録する前記残額をゼロに更新するよう要求し、
前記現金が選択されたとき、
前記残額更新要求部は、前記通信インターフェースを介して前記現金ベンダー装置に、前記現金ベンダー装置が記録する前記残額を前記差額に更新するよう要求する
画像形成装置。
【請求項４】
現金が入出金され、入金された前記現金の残額を記録する現金ベンダー装置と、
前記現金ベンダー装置と通信する通信インターフェースと、
外部デバイスの記録媒体に、電子マネーを近距離無線通信によって書き込む非接触型リーダライターと、
前記通信インターフェースを介して前記現金ベンダー装置から、前記現金ベンダーが記録する前記残額を示す情報を取得する残額取得部と、
機能を実行する機能実行部と、
前記機能を実行するための価額を前記残額から減算して差額を算出する差額算出部と、
前記非接触型リーダライターを制御して、前記差額に相当する電子マネーを、前記外部デバイスの前記記録媒体に書き込ませる電子マネー返金部と、
前記通信インターフェースを介して前記現金ベンダー装置に、前記現金ベンダー装置が記録する前記残額をゼロに更新するよう要求する残額更新要求部
として動作する制御回路と
を有する画像形成装置
とを具備する情報処理システム。
【発明の詳細な説明】
【技術分野】
【０００１】
本開示は、現金が入出金される現金ベンダー装置と接続された画像形成装置と、この現金ベンダー装置及び画像形成装置を有する情報処理システムとに関する。
【背景技術】
【０００２】
現金が入出金される現金ベンダー装置（所謂コインベンダー）と接続された画像形成装置が知られている（特許文献１）。
【先行技術文献】
【特許文献】
【０００３】
【特許文献１】特開２０１８−５６９３５号公報
【発明の概要】
【発明が解決しようとする課題】
【０００４】
現金ベンダー装置と接続された画像形成装置は、益々ユーザーフレンドリーとすることが望ましい。
【課題を解決するための手段】
【０００５】
本開示の一形態に係る画像形成装置は、
現金が入出金され、入金された前記現金の残額を記録する現金ベンダー装置と通信する通信インターフェースと、
外部デバイスの記録媒体に、電子マネーを近距離無線通信によって書き込む非接触型リーダライターと、
前記通信インターフェースを介して前記現金ベンダー装置から、前記現金ベンダーが記録する前記残額を示す情報を取得する残額取得部と、
機能を実行する機能実行部と、
前記機能を実行するための価額を前記残額から減算して差額を算出する差額算出部と、
前記非接触型リーダライターを制御して、前記差額に相当する電子マネーを、前記外部デバイスの前記記録媒体に書き込ませる電子マネー返金部と、
前記通信インターフェースを介して前記現金ベンダー装置に、前記現金ベンダー装置が記録する前記残額をゼロに更新するよう要求する残額更新要求部
として動作する制御回路と
を具備する。
【０００６】
これにより、現金ベンダー装置に現金が入金された場合でも、差額を電子マネーで返すため、差額がコイン複数枚となり、ユーザーにとって煩雑であるという問題が無い。
【０００７】
前記現金ベンダー装置と、前記非接触型リーダライターとは、互いに独立した異なる筐体に設けられる。
【０００８】
現金ベンダー装置は、画像形成装置の非接触型リーダライターに比べて、圧倒的にサイズが大きく目立つ。さらに、非接触型リーダライターと現金ベンダー装置とが互いに独立した異なる筐体に設置されるため、ユーザーが現金ベンダー装置に注目すると、非接触型リーダライターが目に入らないことが想定される。これらの理由から、ユーザーは、現金ベンダー装置に現金を入金するケースが圧倒的に多いと想定される。しかしながら、本形態によれば、現金ベンダー装置に現金が入金された場合でも、差額を電子マネーで返すため、差額がコイン複数枚となり、ユーザーにとって煩雑であるという問題が無い。
【０００９】
前記制御回路は、さらに、
前記差額の返金方法として、現金又は前記電子マネーを選択する返金方法選択部として動作し、
前記電子マネーが選択されたとき、
前記電子マネー返金部は、前記リーダライターを制御して、前記差額に相当する前記電子マネーを、前記外部デバイスの前記記録媒体に書き込ませ、
前記残額更新要求部は、前記通信インターフェースを介して前記現金ベンダー装置に、前記現金ベンダー装置が記録する前記残額をゼロに更新するよう要求し、
前記現金が選択されたとき、
前記残額更新要求部は、前記通信インターフェースを介して前記現金ベンダー装置に、前記現金ベンダー装置が記録する前記残額を前記差額に更新するよう要求する。
【００１０】
これにより、現金ベンダー装置に現金が入金された場合に、返金額を返す方法をユーザーが選択できるので、ユーザーフレンドリーである。
【００１１】
本開示の一形態に係る情報処理システムは、
現金が入出金され、入金された前記現金の残額を記録する現金ベンダー装置と、
前記現金ベンダー装置と通信する通信インターフェースと、
外部デバイスの記録媒体に、電子マネーを近距離無線通信によって書き込む非接触型リーダライターと、
前記通信インターフェースを介して前記現金ベンダー装置から、前記現金ベンダーが記録する前記残額を示す情報を取得する残額取得部と、
機能を実行する機能実行部と、
前記機能を実行するための価額を前記残額から減算して差額を算出する差額算出部と、
前記非接触型リーダライターを制御して、前記差額に相当する電子マネーを、前記外部デバイスの前記記録媒体に書き込ませる電子マネー返金部と、
前記通信インターフェースを介して前記現金ベンダー装置に、前記現金ベンダー装置が記録する前記残額をゼロに更新するよう要求する残額更新要求部
として動作する制御回路と
を有する画像形成装置
とを具備する。
【発明の効果】
【００１２】
本発明によれば、現金ベンダー装置と接続された画像形成装置を、益々ユーザーフレンドリーとすることができる。
【００１３】
なお、ここに記載された効果は必ずしも限定されるものではなく、本開示中に記載されたいずれかの効果であってもよい。
【図面の簡単な説明】
【００１４】
【図１】本開示の一実施形態に係る情報処理システムを示す。
【図２】画像形成装置のハードウェア構成を示す。
【図３】現金ベンダー装置のハードウェア構成を示す。
【図４】カメラ装置のハードウェア構成を示す。
【図５】情報処理システムの機能的構成を示す。
【図６】画像形成装置の第１の動作フローを示す。
【図７】画像生成装置が算出する種々の金額の種別を模式的に示す。
【図８】複数の広告の表示例を示す。
【図９】画像形成装置の第２の動作フローを示す。
【図１０】画像形成装置の第３の動作フローを示す。
【発明を実施するための形態】
【００１５】
以下、図面を参照しながら、本開示の実施形態を説明する。
【００１６】
１．情報処理システムの概要
【００１７】
図１は、本開示の一実施形態に係る情報処理システムを示す。
【００１８】
情報処理システム１は、画像形成装置（Multifunction Peripheral、以下単にＭＦＰと称する）１０と、現金ベンダー装置２０と、カメラ装置３０とを有する。
【００１９】
ＭＦＰ１０は、例えば、小売店等の商業施設に設置され、エンドユーザー（以下単にユーザーと称する）が利用する。ＭＦＰ１０には、現金ベンダー装置２０と、カメラ装置３０とがそれぞれ有線又は無線で接続され、相互に通信する。
【００２０】
現金ベンダー装置２０には、ユーザーがＭＦＰ１０の機能（コピー機能等）を利用するための現金（コイン及び紙幣）を入出金する。ＭＦＰ１０は、現金ベンダー装置２０から残額を示す情報を取得し、実行する機能の価格に応じて、現金ベンダー装置２０の残額を更新するよう要求する。
【００２１】
カメラ装置３０は、例えばＭＦＰ１０の上方や斜め上方に設置される。カメラ装置３０は、ＭＦＰ１０のユーザーを撮影し、撮影画像をＭＦＰ１０に送信する。撮影画像は、ユーザーの属性（性別、年齢等）が認識できる程度の画質である。
【００２２】
２．画像形成装置のハードウェア構成
【００２３】
図２は、画像形成装置のハードウェア構成を示す。
【００２４】
ＭＦＰ１０は、制御回路１１を備える。制御回路１１は、プロセッサーであるＣＰＵ１１ａ（Central Processing Unit）、ＲＡＭ１１ｂ（Random Access Memory）、メモリーであるＲＯＭ１１ｃ（Read Only Memory）及び専用のハードウェア回路等から構成され、ＭＦＰ１０の全体的な動作制御を司る。
【００２５】
制御回路１１は、画像読取部１２、画像処理部１４、画像メモリー１５、画像形成部１６、表示部１７ａを備える操作部１７、記憶装置１８、ファクシミリ通信部１９、ネットワーク通信インターフェース１３、ベンダー通信インターフェース１３ａ、カメラ通信インターフェース１３ｂ及び非接触型リーダライター１９ａ等と接続されている。制御回路１１は、接続されている上記各部の動作制御や、各部との間での信号又はデータの送受信を行う。
【００２６】
表示部１７ａを備える操作部１７は、典型的にはタッチパネルであり、ユーザーからの入力を受け付ける入力装置の一例である。
【００２７】
非接触型リーダライター１９ａは、外部デバイス（ＩＣカード、スマートフォン、タブレットコンピューター、モバイルコンピューター等）（図示せず）の記録媒体に、電子マネーを近距離無線通信によって書き込む。
【００２８】
ＭＦＰ１０は、さらに、各ハードウェアを収容及び設置する第１の筐体１０Ａを有する。
【００２９】
３．現金ベンダー装置のハードウェア構成
【００３０】
図３は、現金ベンダー装置のハードウェア構成を示す。
【００３１】
現金ベンダー装置２０は、ＣＰＵ２１、ＲＯＭ２２、ＲＡＭ２３、通信インターフェース２５、入金装置２６、現金保管装置２９、出金装置２４及び表示装置２７と、これらを相互に接続するバス２８とを有する。
【００３２】
ＣＰＵ２１、ＲＯＭ２２、及びＲＡＭ２３は、制御回路２００を構成する。ＣＰＵ２１は、ＲＯＭ２２が記憶する情報処理プログラムをＲＡＭ２３にロードして実行する。ＲＯＭ２２は、ＣＰＵ２１が実行するプログラムやデータなどを固定的に記憶する。ＲＡＭ２３は、入金装置２６に入金された現金の残高を記録する。
【００３３】
通信インターフェース２５は、ＭＦＰ１０と通信するためのインターフェースである。
【００３４】
入金装置２６は、現金（コイン及び紙幣）を入金する。
【００３５】
現金保管装置２９は、入金装置２６に入金された現金（コイン及び紙幣）を保管する。
【００３６】
出金装置２４は、現金保管装置２９から現金（コイン及び紙幣）を出金する。
【００３７】
表示装置２７は、入金装置２６に入金された現金の残高を表示する。
【００３８】
現金ベンダー装置２０は、さらに、各ハードウェアを収容及び設置する第２の筐体２０Ａを有する。従って、ＭＦＰ１０の非接触型リーダライター１９ａと現金ベンダー装置２０とは、互いに独立した異なる筐体に設けられる。
【００３９】
４．カメラ装置のハードウェア構成
【００４０】
図４は、カメラ装置のハードウェア構成を示す。
【００４１】
カメラ装置３０は、ＣＰＵ３１、ＲＯＭ３２、ＲＡＭ３３、カメラ３６、記憶装置３４及び通信インターフェース３５と、これらを相互に接続するバス３８とを有する。
【００４２】
ＣＰＵ３１、ＲＯＭ３２、及びＲＡＭ３３は、制御回路３００を構成する。ＣＰＵ３１は、ＲＯＭ３２が記憶する情報処理プログラムをＲＡＭ３３にロードして実行する。ＲＯＭ３２は、ＣＰＵ３１が実行するプログラムやデータなどを固定的に記憶する。
【００４３】
カメラ３６は、ＣＭＯＳイメージセンサやＣＣＤイメージセンサのイメージセンサを有し、撮影画像を取得する。
【００４４】
記憶装置３４は、ＨＤＤ（Hard Disk Drive）やＳＳＤ（Solid State Drive）等の大容量の記録媒体である。記憶装置３４は、カメラ３６の撮影画像を記憶する。
【００４５】
通信インターフェース３５は、ＭＦＰ１０に接続するためのインターフェースである。
【００４６】
５．情報処理システムの機能的構成
【００４７】
図５は、情報処理システムの機能的構成を示す。
【００４８】
ＭＦＰ１０の制御回路１１において、ＣＰＵ１１ａは、ＲＯＭ１１ｃが記録する情報処理プログラムをＲＡＭ１１ｂにロードして実行することにより、残額取得部１０１、機能実行部１０２、差額算出部１０３、金券充当額決定部１０４、広告管理部１０５、返金方法選択部１０６、金券発行部１０７、返金額算出部１０８、電子マネー返金部１０９及び残額更新要求部１１０として動作する。
【００４９】
残額取得部１０１は、所定のトリガで、ベンダー通信インターフェース１３ａ（図２）を介して、現金ベンダー装置２０に入金された現金の残額を問い合わせ、現金ベンダー装置２０が記録する残額を示す情報を取得する。
【００５０】
機能実行部１０２は、操作部１７に入力されたユーザーからの操作に従って、実行すべき機能（コピー機能等）を決定する。機能実行部１０２は、決定した機能を実行するための価格が、現金ベンダー装置２０の残額以下であれば、決定した機能の実行を開始する。
【００５１】
差額算出部１０３は、機能を実行するための価額を残額から減算して差額を算出する。
【００５２】
金券充当額決定部１０４は、差額以下（即ち、差額と同額又は差額未満）の金券充当額を決定する。
【００５３】
広告管理部１０５は、記憶装置１８のデータベースを参照し、金券充当額と、ユーザーの属性とに基づき金券を選択し、表示部１７ａに表示する。
【００５４】
返金方法選択部１０６は、ユーザーからの入力に基づき、金券を発行するか否かを判断する。返金方法選択部１０６は、ユーザーからの入力に基づき、返金額又は差額の返金方法として、現金又は電子マネーを選択する。
【００５５】
金券発行部１０７は、選択された広告画像が示す商品の金券の画像を、記憶装置１８から読み出し、画像形成部１６を制御して印刷させる。
【００５６】
返金額算出部１０８は、差額から金券充当額を減算して返金額を算出する。
【００５７】
電子マネー返金部１０９は、非接触型リーダライター１９ａを制御して、返金額又は差額に相当する電子マネーを、外部デバイスの記録媒体に書き込ませる。
【００５８】
残額更新要求部１１０は、ベンダー通信インターフェース１３ａ（図２）を介して現金ベンダー装置２０に、現金ベンダー装置２０が記録する残額を更新するよう要求する。
【００５９】
６．画像形成装置の動作
【００６０】
図６は、画像形成装置の第１の動作フローを示す。図７は、画像生成装置が算出する種々の金額の種別を模式的に示す。
【００６１】
残額取得部１０１は、所定のトリガで、ベンダー通信インターフェース１３ａ（図２）を介して、現金ベンダー装置２０に入金された現金の残額を問い合わせ、現金ベンダー装置２０が記録する残額（図７のＡ。正の整数）を示す情報を取得する（ステップＳ１０１）。例えば、残額を１００円とする。
【００６２】
機能実行部１０２は、操作部１７に入力されたユーザーからの操作に従って、実行すべき機能（コピー機能等）を決定する。機能実行部１０２は、決定した機能を実行するための価格（図７のＢ。正の整数）が、現金ベンダー装置２０の残額以下であれば、決定した機能の実行を開始する（ステップＳ１０２）。例えば、機能を実行するための価格を６０円とする。
【００６３】
機能実行部１０２が機能の実行を開始すると、差額算出部１０３は、機能を実行するための価額を残額から減算して差額（図７のＣ。正の整数又はゼロ）を算出する（ステップＳ１０３）。本例では、差額は、１００−６０＝４０円である。
【００６４】
差額がゼロの場合（ステップＳ１０３、ＹＥＳ）、残額更新要求部１１０は、ベンダー通信インターフェース１３ａ（図２）を介して現金ベンダー装置２０に、現金ベンダー装置２０が記録する残額をゼロに更新するよう要求する（ステップＳ１１４）。
【００６５】
一方、差額がゼロでない場合（ステップＳ１０３、ＮＯ）、金券充当額決定部１０４は、差額以下（即ち、差額と同額又は差額未満）の金券充当額（図７のＤ。正の整数）を決定する。具体的には、金券充当額決定部１０４は、差額が閾値（例えば５００円）未満のとき（ステップＳ１０４、ＮＯ）、差額を金券充当額として決定する（ステップＳ１０５）。本例では、差額（４０円）は閾値（５００円）未満なので、差額（４０円）を金券充当額として決定する。一方、金券充当額決定部１０４は、差額が閾値（５００円）以上のとき（ステップＳ１０４、ＹＥＳ）、差額に含まれる端数を金券充当額として決定する（ステップＳ１０６）。例えば、差額が５５０円のとき、端数の５０円を金券充当額として決定する。
【００６６】
広告管理部１０５は、金券充当額以上の金額の１以上（以下複数とする）の金券を選択する（ステップＳ１０７）。「金券」は、それぞれ特定の商品に使用可能であり、具体的には、ＭＦＰ１０が設置されている商業施設で販売されている商品の引換券、割引券、クーポン券等である。要するに、「金券」は、特定の商品の引換券、割引券、クーポン券等の総称である。
【００６７】
記憶装置１８は、商品それぞれについて、金券、金券の金額、金券の画像、商品の広告画像、購買者の属性（性別、年齢等）を互いに関連付けてデータベースに記憶している。例えば、商品（菓子、飲料）には属性（男性、１０代）が関連付けられ、商品（化粧品）には属性（女性、２０代）が関連付けられている。データベースに記憶されるデータは、定期的に又は所定のタイミングで、サーバー装置（図示せず）からネットワークを介してダウンロードすればよい。
【００６８】
広告管理部１０５は、記憶装置１８のデータベースを参照し、金券充当額と、ユーザーの属性とに基づき金券を選択する。具体的には、広告管理部１０５は、金券充当額に特定値（例えば、５０円）以下の金額（０円〜５０円）を加算した値を、金券の金額として選択する。本例では、金券充当額（４０円）に０円〜５０円を加算した値である４０円〜９０円を、金券の金額として決定する。
【００６９】
さらに、広告管理部１０５は、カメラ通信インターフェース１３ｂ（図２）を介してカメラ装置３０から受信した撮影画像に含まれるユーザーを画像認識して得られたユーザーの属性を、属性として決定する。
【００７０】
広告管理部１０５は、決定した金券の金額及び属性が関連付けられた複数の金券を選択する。広告管理部１０５は、選択した複数の金券に関連付けられた商品の広告画像を記憶装置１８から読み出し、表示部１７ａに表示する（ステップＳ１０８）。広告管理部１０５は、機能実行部１０２が機能の実行を中に、広告画像を表示部１７ａに表示するのが望ましい。
【００７１】
図８は、複数の広告の表示例を示す。
【００７２】
例えば、表示部１７ａ（タッチパネル）には複数の広告画像１〜９が表示される。ユーザーは表示部１７ａに表示されたを、金券の発行対象となる商品を示す広告画像が表示された領域をタッチする。あるいは、ユーザーは、金券を発行しない場合には、金券を発行しないことを示す画像（本例では「Ｎｏ  ｔｈａｎｋ  ｙｏｕ」）が表示された領域をタッチする。
【００７３】
返金方法選択部１０６は、ユーザーからの入力に基づき、金券を発行するか否かを判断する（ステップＳ１０９）。具体的には、返金方法選択部１０６は、金券の発行対象となる商品を示す広告画像が選択されれば、金券を発行すると破断し（ステップＳ１０９、ＹＥＳ）、金券を発行しないことを示す画像（Ｎｏ  ｔｈａｎｋ  ｙｏｕ）が選択されれば、金券を発行しないと判断する（ステップＳ１０９、ＮＯ）。以下、（１）金券を発行する場合（ステップＳ１０９、ＹＥＳ）と、（２）金券を発行しない場合（ステップＳ１０９、ＮＯ）とに分けて説明する。
【００７４】
（１）金券を発行する場合（ステップＳ１０９、ＹＥＳ）
【００７５】
図９は、画像形成装置の第２の動作フローを示す。
【００７６】
金券発行部１０７は、選択された広告画像が示す商品の金券の画像を、記憶装置１８から読み出す。金券発行部１０７は、画像形成部１６を制御して、読み出した金券の画像を印刷させる（ステップＳ１１０）。
【００７７】
返金額算出部１０８は、差額から金券充当額を減算して返金額（図７のＥ。正の整数又はゼロ）を算出する（ステップＳ１１１）。本例では、差額（４０円）から金券充当額（４０円）を減算して返金額（０円）を算出する。
【００７８】
返金額算出部１０８が算出した返金額がゼロでない場合（ステップＳ１１１、ＮＯ）。返金方法選択部１０６は、ユーザーからの入力に基づき、返金額の返金方法として、現金又は電子マネーを選択する（ステップＳ１１２）。
【００７９】
返金方法選択部１０６が電子マネーを選択すると（ステップＳ１１２、ＹＥＳ）、電子マネー返金部１０９は、非接触型リーダライター１９ａを制御して、返金額に相当する電子マネーを、外部デバイスの記録媒体に書き込ませる（ステップＳ１１３）。
【００８０】
電子マネー返金部１０９が返金額に相当する電子マネーを外部デバイスの記録媒体に書き込んだ場合（ステップＳ１１３）と、返金額算出部１０８が算出した返金額がゼロの場合（ステップＳ１１１、ＹＥＳ）を説明する。これらの場合、残額更新要求部１１０は、ベンダー通信インターフェース１３ａ（図２）を介して現金ベンダー装置２０に、現金ベンダー装置２０が記録する残額をゼロに更新するよう要求する（ステップＳ１１４）。
【００８１】
一方、返金方法選択部１０６が現金を選択すると（ステップＳ１１２、ＮＯ）、残額更新要求部１１０は、ベンダー通信インターフェース１３ａ（図２）を介して現金ベンダー装置２０に、現金ベンダー装置２０が記録する残額を返金額で更新するよう要求する（ステップＳ１１５）。
【００８２】
（２）金券を発行しない場合（ステップＳ１０９、ＮＯ）
【００８３】
図１０は、画像形成装置の第３の動作フローを示す。
【００８４】
返金方法選択部１０６は、ユーザーからの入力に基づき、差額の返金方法として、現金又は電子マネーを選択する（ステップＳ１１２ａ）。
【００８５】
返金方法選択部１０６が電子マネーを選択すると（ステップＳ１１２ａ、ＹＥＳ）、電子マネー返金部１０９は、非接触型リーダライター１９ａを制御して、差額に相当する電子マネーを、外部デバイスの記録媒体に書き込ませる（ステップＳ１１３ａ）。
【００８６】
残額更新要求部１１０は、ベンダー通信インターフェース１３ａ（図２）を介して現金ベンダー装置２０に、現金ベンダー装置２０が記録する残額をゼロに更新するよう要求する（ステップＳ１１４ａ）。
【００８７】
一方、返金方法選択部１０６が現金を選択すると（ステップＳ１１２ａ、ＮＯ）、残額更新要求部１１０は、ベンダー通信インターフェース１３ａ（図２）を介して現金ベンダー装置２０に、現金ベンダー装置２０が記録する残額を差額で更新するよう要求する（ステップＳ１１５ａ）。
【００８８】
７．結語
【００８９】
典型的に、小売店等の商業施設に設置されるＭＦＰには、現金ベンダー装置が接続される。従って、仮にＭＦＰに非接触型リーダライターが設けられているとしても、ユーザーは、習慣的に、ＭＦＰを利用する際、現金ベンダー装置に現金を入金するケースが圧倒的に多いと想定される。また、現金ベンダー装置は、ＭＦＰの非接触型リーダライターに比べて、圧倒的にサイズが大きく目立つ。さらに、非接触型リーダライターと現金ベンダー装置とが互いに独立した異なる筐体に設置されるため、ユーザーが現金ベンダー装置に注目すると、非接触型リーダライターが目に入らないことが想定される。これらの理由からも、ユーザーは、現金ベンダー装置に現金を入金するケースが圧倒的に多いと想定される。一方、ＭＦＰの機能（コピー機能等）を実行するための価額は５円単位、１０円単位のことが多い。このため、機能を実行するための価格より高額のコイン又は紙幣を入金すると、差額（お釣り）がコイン複数枚となり、ユーザーにとって煩雑である。
【００９０】
そこで、本実施形態によれば、現金ベンダー装置２０に現金が入金された場合でも（ステップＳ１０１）、電子マネー返金部１０９は、非接触型リーダライター１９ａを制御して、差額に相当する電子マネーを、外部デバイスの記録媒体に書き込ませる（ステップＳ１１３ａ）。
【００９１】
これにより、現金ベンダー装置２０に現金が入金された場合でも、差額を電子マネーで返すため、差額がコイン複数枚となり、ユーザーにとって煩雑であるという問題が無い。
【００９２】
本実施形態によれば、現金ベンダー装置２０に現金が入金された場合でも（ステップＳ１０１）、金券発行部１０７は、画像形成部１６を制御して、金券充当額（差額以下）以上の金額の金券を印刷させる（ステップＳ１１０）。
【００９３】
これにより、現金ベンダー装置２０に現金が入金された場合でも、差額を金券で返すため、差額がコイン複数枚となり、ユーザーにとって煩雑であるという問題が無い。また、金券は、金券充当額以上の金額であるため、ユーザーにとって得である。このため、ユーザーが、現金ではなく金券で差額を受け取るのが不安に思ったとしても、差額を金券で受け取る動機づけとなる。これにより、差額を金券で受け取る機会が向上する。
【００９４】
本実施形態によれば、広告管理部１０５は、金券充当額以上の金額の１以上の金券を金券充当額に基づき選択し（ステップＳ１０７）、金券はそれぞれ特定の商品に使用可能であり、１以上の金券をそれぞれ使用可能な１以上の商品それぞれを示す１以上の広告画像を表示装置１７ａに表示させる（ステップＳ１０８）。金券発行部１０７は、画像形成部１６を制御して、ユーザーからの入力に基づき１以上の広告画像から選択した広告画像が示す商品に使用可能な金券を印刷させる（ステップＳ１１０）。
【００９５】
これにより、ユーザーは、それぞれ特定の商品に使用可能な１以上の金券から好みの金券を選択できるので、差額を金券で受け取る動機づけとなる。これにより、差額を金券で受け取る機会がさらに向上する。
【００９６】
本実施形態によれば、広告管理部１０５は、機能実行部１０２が機能の実行を開始すると、機能を実行している最中に、１以上の広告画像を表示装置１７ａに表示させる（ステップＳ１０８）。
【００９７】
これにより、機能の実行を開始してから終了までの時間、言い換えればユーザーにとっての待ち時間に、１以上の広告画像を表示させるので、ユーザーが広告画像を閲覧する機会が向上する。これにより、差額を金券で受け取る機会がさらに向上する。
【００９８】
本実施形態によれば、広告管理部１０５は、１以上の金券を、カメラ装置３０から受信した撮影画像に含まれるユーザーの属性に基づき選択する。
【００９９】
これにより、個々のユーザーに適した商品に使用可能な１以上の金券を表示できるので、ユーザーが好みの金券を選択できる機会が向上する。これにより、ユーザーが差額を金券で受け取る動機づけとなる。これにより、差額を金券で受け取る機会がさらに向上する。
【０１００】
本実施形態によれば、広告管理部１０５は、金券充当額以上の金額の金券として、金券充当額に特定値以下の金額を加算した値の金額の金券を選択する。
【０１０１】
これにより、金券は、金金券充当額に特定値以下の金額を加算した値の金額であるため、ユーザーにとって得である。このため、ユーザーが、現金ではなく金券で差額を受け取るのが不安に思ったとしても、差額を金券で受け取る動機づけとなる。これにより、差額を金券で受け取る機会が向上する。
【０１０２】
本実施形態によれば、金券充当額決定部１０４は、差額が閾値（例えば５００円）以上のとき、差額に含まれる端数を金券充当額として決定する。
【０１０３】
これにより、ユーザーが、高額な差額のうち全額を、現金ではなく金券で差額を受け取るのが不安に思ったとしても、差額を金券で受け取る動機づけとなる。これにより、差額を金券で受け取る機会が向上する。
【０１０４】
本実施形態によれば、金券充当額決定部１０４は、差額を金券充当額として決定した場合、返金額算出部１０８は、返金額としてゼロを算出する。
【０１０５】
これにより、現金ベンダー装置２０に現金が入金された場合でも、差額の全額を金券で返すため、差額がコイン複数枚となり、ユーザーにとって煩雑であるという問題が無い。
【０１０６】
本実施形態によれば、返金方法選択部１０６は、返金額の返金方法として、現金又は電子マネーを選択する。
【０１０７】
これにより、現金ベンダー装置２０に現金が入金された場合に、返金額を返す方法をユーザーが選択できるので、ユーザーフレンドリーである。
【０１０８】
本技術の各実施形態及び各変形例について上に説明したが、本技術は上述の実施形態にのみ限定されるものではなく、本技術の要旨を逸脱しない範囲内において種々変更を加え得ることは勿論である。
【符号の説明】
【０１０９】
情報処理システム１
ＭＦＰ１０
現金ベンダー装置２０
カメラ装置３０
制御回路１１
画像形成部１６
表示部１７ａ
操作部１７
記憶装置１８
非接触型リーダライター１９ａ
残額取得部１０１
機能実行部１０２
差額算出部１０３
金券充当額決定部１０４
広告管理部１０５
返金方法選択部１０６
金券発行部１０７
返金額算出部１０８
電子マネー返金部１０９
残額更新要求部１１０
【図１】
2019207514.tif 000003
【図２】
2019207514.tif 000004
【図３】
2019207514.tif 000005
【図４】
2019207514.tif 000006
【図５】
2019207514.tif 000007
【図６】
2019207514.tif 000008
【図７】
2019207514.tif 000009
【図８】
2019207514.tif 000010
【図９】
2019207514.tif 000011
【図１０】
2019207514.tif 000012